(57)【要約】【課題】施解錠操作が容易であり、また、外側から解錠可能なドアガード機構の提供を課題とする。【解決手段】引戸１のドアガード機構１０であって、施解錠操作に連動して上下するロッド２２と、施錠時にロッド２２の端部が進入すると共に引戸１の開閉動作に追従したロッド２２のスライドを許容する長穴３１ａを備えた錠受けブラケット３１と、引戸１内に内蔵固定されると共に、ロッド２２を錠受けブラケット３１の長孔３１ａから引き抜く方向に操作可能な解錠装置２１と、を有する。【選択図】図１
2013167052.tif 000002
【特許請求の範囲】
【請求項１】
引戸を所定の開閉範囲において開閉可能に施錠する引戸のドアガード機構であって、
施解錠操作に連動するロッドと、
施錠時に、前記ロッドの端部が進入すると共に前記引戸の開閉動作に追従した前記ロッドのスライドを許容する長穴を備えた錠受け部材と、
前記引戸内に内蔵固定されると共に、前記ロッドを前記錠受け部材の長孔から引き抜く方向に操作可能な解錠装置と、
を有することを特徴とする引戸のドアガード機構。
【請求項２】
前記引戸の内部に主施解錠用の鍵装置が設けられ、前記解錠装置は、その主施解錠に用いる鍵によって操作可能であることを特徴とする請求項１に記載の引戸のドアガード機構。
【請求項３】
前記解錠装置は、リンクを介して前記ロッドに連結され、
前記リンクは、前記解錠装置による手動の解錠操作によって直接操作可能であることを特徴とする請求項１又は２に記載の引戸のドアガード機構。
【請求項４】
前記錠受け部材の長孔に対してロッドを挿入する方向に操作可能な施錠装置を有し、
前記ロッドの頭部は、ロッドの他の部位に比べて径大に形成され、
前記錠受け部材に設けられる長孔は、前記引戸の閉じた位置に対応して設けられると共に、この位置のみで前記ロッドの頭部を受け入れるロッド挿通孔と、
このロッド挿通孔から前記引戸の開く方向に延設されると共に、前記ロッドの頭部を除く細径部分のみをスライド自在に受け入れるスライド孔と、
を有することを特徴とする請求項１〜３の何れかに記載の引戸のドアガード機構。
【請求項５】
前記錠受け部材は、錠受け部材の長孔内におけるロッドのスライドを阻止する施錠孔を有し、
前記ロッドは、この施錠穴に対して進退自在に設けられ、
前記施錠孔は、施錠穴に対するロッドの進入に伴ってロッドを拘束することを特徴とする請求項１〜４の何れかに記載の引戸のドアガード機構。
【請求項６】
前記施錠孔は、前記ロッド挿通孔に対してその同軸上に設けられていることを特徴とする請求項５に記載の引戸のドアガード機構。
【請求項７】
前記ロッドの操作量が、前記各孔に対応して多段に設定されていることを特徴とする請求項４〜６の何れかに記載の引戸のドアガード機構。
【発明の詳細な説明】
【技術分野】
【０００１】
本発明は、引戸の施解錠装置に関し、より詳細には、引戸を所定の開閉範囲において開閉可能に施錠するドアガード機構に関する。
【背景技術】
【０００２】
玄関引戸のドアガードとして、例えば、防犯用の用心鎖がある。
用心鎖は、玄関枠に繋がれた鎖と、この鎖を引戸の内面側に脱着自在に留めておくためのガイドレールとを有し、このガイドレールを介して引戸に鎖を留めておくことで引戸の不意な開放を制限する装置である。
【０００３】
具体的には、不審な人物の来客時など、この用心鎖を予め引戸に留めておけば、玄関引戸を僅かに開いた状態で玄関越しに応対できる。また、玄関内への侵入も防止できることから、玄関引戸の防犯装置として広く採用されている。
【０００４】
また、近年では電気錠システムの普及により、非常時など、この用心鎖を外部から電気的に解錠するためのドアチェーンリリースが提案されている。
このドアチェーンリリース１００は、内部に磁石１０２ａを有する電磁開放式のアクチュエータ１０２と、ドアチェーン１０１とで構成されている。また、このドアチェーンリリース１００はドアチェーン１０１の支持部１０１ａに設けられ、ナンバー錠の操作によってドアチェーンリリース１００が作動すると、支持部１０１に設けられたアクチュエータ１０２が支持部１０１を開放し、ドアチェーン１０１が支持部１０１から脱落する構造になっている（特許文献１）。
【０００５】
また、引戸の開閉を制限するドアガードとして下記構造の防犯錠も提案されている（特許文献２）。
この防犯錠２００は、引戸２０１側に棒状部材２０２を設けると共にこの棒状部材２０２を引戸２０１の上枠に対して進退自在とし、さらに上枠側に引戸２０１の開閉方向に延びるガイド孔２０３を形成しておき、このガイド孔２０３に引戸の棒状部材２０２を挿入することで、ガイド孔２０３の長さに相当する分だけ引戸の開閉を可能にしている。
【先行技術文献】
【特許文献】
【０００６】
【特許文献１】特開２０００−１９２７０２号公報
【特許文献２】特許第２６５５３９５号公報
【発明の概要】
【発明が解決しようとする課題】
【０００７】
ところで、上記の用心鎖は、施解錠の都度、その鎖を手に取り、引戸の内側に設けられたガイドレールに先端を引っ掛けて使用するため、視力の弱い高齢者や、手指等に障害を抱えた障害者らにとっては操作性が悪く、また、解錠時には鎖が垂れ下がり見栄えも悪かった。
【０００８】
また、電気的解錠装置を有するドアチェーンリリースは、その設置に電気工事を要する他、停電時にはアクチュエータが動作せず、震災や火災等に伴って停電した場合、玄関から救助を行えないといった問題もある。
また、特許文献２に示す防犯錠は、ドアガードとしての機能を有するものの、非常時における外部からの解錠について何ら考慮されておらず改善の余地がある。
【０００９】
本発明は、上記の問題を解決するためされたもので、施解錠操作が容易であり、また、外側から解錠可能なドアガード機構を提供することを課題とする。
【課題を解決するための手段】
【００１０】
この課題達成のため、本発明は次のような構成である。
引戸を所定の開閉範囲において開閉可能に施錠する引戸のドアガード機構であって、
施解錠操作に連動して上下するロッドと、
施錠時に前記ロッドの端部が進入すると共に前記引戸の開閉動作に追従した前記ロッドのスライドを許容する長穴を備えた錠受け部材と、
前記引戸内に内蔵固定されると共に前記ロッドを前記錠受け部材の長孔から引き抜く方向に操作可能な解錠装置と、
を有することを特徴とする。
【００１１】
この構成の本発明によれば、錠受け部材に設けられた長孔にロッドが入り込みスライドすることで、この長孔の長さ分だけ、引戸を施錠しつつ所定の開閉範囲で開閉できる。また、錠受け部材に入り込んだロッドは、引戸内に内蔵固定された解錠装置によって錠受け部材から引き抜く方向に操作できるため、解錠装置を操作するのみで錠受け部材からロッドを簡単に引き抜くことができる。
また、引戸の内部に解錠装置が設けられ、引戸の外側からドアガード機能を解錠できる。
【００１２】
また、前記引戸に主施解錠用の鍵装置が設けられているとき、前記解錠装置は、その主施解錠に用いる鍵（例えば、マスターキー）によって操作可能なものとすることができる。また、この鍵は、どのような形態のものであってもよい。
【００１３】
この構成では、引戸の主施解錠に用いる鍵がドアガード機構の解錠装置にも適用できるため、非常時等においても鍵があれば、引戸の外側からドアガード機構を容易に解錠できる。
【００１４】
また、前記解錠装置は、リンクを介して前記ロッドに連結され、
前記リンクは、前記解錠装置による手動の解錠操作によって直接操作可能であってもよい。
【００１５】
この構成では、ロッドを動かすリンクを、解錠装置を介して手動で直接操作できるため、電気的解錠手段を用いることなく機械的にドアガード機構を解錠できる。
【００１６】
また、前記錠受け部材の長孔に対してロッドを挿入する方向に操作可能な施錠装置を有し、
前記ロッドの頭部は、ロッドの他の部位に比べて径大に形成され、
前記錠受け部材に設けられる長孔は、前記引戸の閉じた位置に対応して設けられると共にこの位置のみで前記ロッドの頭部を受け入れるロッド挿通孔と、
このロッド挿通孔から前記引戸の開く方向に延設されると共に前記ロッドの頭部を除く細径部分のみをスライド自在に受け入れるスライド孔と、
を有する構成であってもよい。
【００１７】
この構成によれば、引戸の閉じた位置に対応してロッドの挿通孔が形成されているため、ドアガードを施錠すべく錠受け部材の長孔にロッドを挿入するときには、引戸を閉じた状態でのみロッドの操作が可能になる。また、引戸が所定の開閉範囲で開いているときには、ロッドの操作が行えず、解錠できない。
このように施解錠操作を引戸の閉じた位置のみで行えるようにすることで、各操作の共通化を図り、また、ドアガードの解錠操作において、引戸を一旦閉じる操作を加えることで操作の手違いによる不用意な解錠を防止する。
【００１８】
また、前記錠受け部材は、錠受け部材の長孔内におけるロッドのスライドを阻止する施錠孔を有し、
前記ロッドは、この施錠穴に対して進退自在に設けられ、
前記施錠孔は、施錠穴に対するロッドの進入に伴ってロッドを拘束する構成でもよい。
【００１９】
この構成によれば、施錠孔にロッドを挿入することで引戸の開閉を阻止できる。すなわち、ドアガード機構を用いて引戸を開閉不能に施錠できる。
【００２０】
前記施錠孔は、前記ロッド挿通孔に対してその同軸上に設けられている構成でもよい。
この構成では、引戸の閉じた位置に対応しているロッド挿通孔の同軸上に施錠孔を有するため、引戸を閉じてロッドを操作すれば、解錠、施錠、ドアガード機能の何れかに選択的に切り換えることができる。
【００２１】
また、前記ロッドの操作量が、前記各孔に対応して多段に設定されていることが望ましい。この構成では各孔に対応してロッドの操作量が適正に設定されているため、確実なロッド操作が可能になる。
【発明の効果】
【００２２】
以上のように本発明によれば、施解錠操作が容易であり、また、外側から解錠可能なドアガード機構を提供できる。
【図面の簡単な説明】
【００２３】
【図１】本発明に係るドアガード機構の第１実施態様の全体構造を示す図。
【図２】図１に示すドアガード機構の内部構造を示す模式図。
【図３】図２を下方から捉えた模式図。
【図４】図１に示す錠受けブラケットの具体的形状例を示した斜示図。
【図５】図１に示す施解錠装置に組み込まれたリンク機構を説明するための図。
【図６】ロッドの頭部の形状例を示す図。
【図７】本発明に係るドアガード機構の第２実施態様の全体構造を示す図。
【図８】図７に示すドアガード機構の内部構造を示す模式図。
【図９】図７に示すドアガード機構の施錠状態を示す模式図。
【図１０】図７に示す錠受けブラケットの具体的形状例を示した斜示図。
【図１１】図７に示す施解錠装置に組み込まれたリンク機構を説明するための図。
【図１２】従来のドアチェーンリリースを示す図。
【図１３】従来のドアガードを示す図。
【発明を実施するための形態】
【００２４】
次に、本発明の実施の形態について図を用いて説明する。
（第１の実施態様）
図１は、本発明に係るドアガード機構の第１の実施態様の全体構造を示す図である。
ドア本体は、図中、矢印方向（左方）に開く引戸１であり、本実施の形態では上枠２に吊り車を介して引戸１が設けられている。また、上枠２には、本発明に係るドアガード機構１０の他、引戸１を自動的に閉じるための自動閉鎖機構３が収められている。自動閉鎖機構３は、引戸１を閉じる側に引き戻すためのバネ駆動装置や、引戸の閉まる速度を調整するための制動装置等で構成されている。
なお、この自動閉鎖機構３は周知技術につき、その詳細説明は省略する。
【００２５】
第１の実施形態に示すドアガード機構１０は、引戸側に組み込まれる操作系部分２０と、引戸１の上枠内に組み込まれる錠受け部分３０とで構成されている。
【００２６】
操作系部分２０は、ドアガード機構１０の施解錠操作を行うための施解錠装置２１及びロッド２２で構成されている。
この施解錠装置２１は、引戸１に内蔵されており、キーシリンダ２３、サムターン、及びリンク機構２４等で構成され、キーシリンダ２３に挿入された鍵やサムターンを回すと、その施解錠操作がリンク機構２４に直接伝わり、リンク機構２４内のカム２４ａ（図５）が回転してロッド２２の端部を押し上げたり、引き下げたりする仕組みになっている。
【００２７】
図５は、このリンク機構２４の内部構造を示す図である。
リンク機構２４は、このリンク機構２４内に回転自在に保持されたカム２４ａと、このカム２４ａを所定角度で保持するためのバネ２４ｂと、カム２４ａの端部に係合したＬ字型のアーム２４ｃと、このアーム２４ｃを案内するためのガイドピン２４ｄ等で構成されている。そして、アーム２４ｃの先端にロッド２２の下端が連結されている。
【００２８】
また、リンク機構２４内に設けられるカム２４ａは、引戸１の外側に設けられたキーシリンダ２３、及び引戸１の室内側に設けられたサムターン（図示略）の双方に、回転軸２４ｅを介して機械的に連結されている。そして、それら何れかの操作によってリンク機構２４内のカム２４ａを直接回転させることができる。すなわち、キーシリンダ２３に対応した鍵を用いて施解錠装置２１を操作すれば、引戸１の外側からでも、引戸内部のロッド２２を直接操作することが可能である。
【００２９】
なお、引戸１に主施解錠用の鍵装置が設けられているときには、この施解錠装置２１に適用されるキーシリンダ２３の鍵と、主施解錠用の鍵とを共通のものとし、この共通の鍵を用いてドアガード機構１０の施解錠操作を行うようにする。
なお、主施解錠用の鍵装置とは、通常の施錠、解錠に使用される鍵装置である。
【００３０】
また、図５では、アーム２４ｃが図中、上下方向に一対図示されているが、本実施態様では上側のアーム２４ｃのみを用いるため、以下では上側アーム２４ｃの動作を説明する。
【００３１】
このリンク機構２４の動作を説明すると、まず図５（ａ）に示すように、キー操作によってカム２４ａを図中、左回り（図中矢印Ｌ方向）に回転させると、このカム２４ａの動きに追従してアーム２４ｃがガイドピン２４ｄによって案内され、リンク機構２４の上方にスライドする。また、このときカム２４ａを所定角で保持するバネ２４ｂの作用によってカム２４ａの角度が保持されるため、以後、アーム２４ｃはロッド２２を押し上げた状態を維持する。
また、この状態からカム２４ａを右回り（図中矢印Ｒ方向）に戻すとアーム２４ｃが下がり、ロッド２２も引き下げられる（図５（ｂ）参照）。
【００３２】
ここでバネ２４ｂについて説明すると、バネ２４ｂは、カム２４ａの端部に常時接した板状のバネており、カム２４ａに対するバネ２４ｂの接触角が９０度になる中立点に対して、カム２４ａとバネ２４ｂとのなす角θを対峙して定めれば、中立点を除く各カムアングルでのなす角θが常時、鋭角となるようにバネ２４ｂの形状が設定されている。
このためカム２４ａは、外部からの操作によって中立点を乗り越えると図５中、左回りに回りきった位置、又は図５中、右回りに回りきった位置との何れかに付勢されて、その角度を維持する。
【００３３】
つまり、リンク機構２４は、ロッド２２を押し上げきった位置と、ロッド２２を引き下げきった位置の何れかにカム２４ａを保持する。このように第１の実施態様に示すリンク機構２４は、２段のポジションでロッド２２を保持する。
【００３４】
続いて、ロッド２２を説明する。ロッド２２は、引戸１の戸先側に組み込まれ、その下端は施解錠装置２１のリンク機構２４に接続され、上端は引戸１の上縁１ａに掛けて縦方向に延びている。
また、ロッド２２の全長は、上記リンク機構２４のアーム２４ｃによってその下端が持ち上げられた状態でロッド２２の先端が引戸１の上縁１ａから僅かに突出する程度の長さに設定されている。
【００３５】
また、ロッド２２の頭部２２ａは、図４に示すように他の部位に比べて径大に形成されている。本実施態様では、ロッド２２の頭部最寄りを両側から面取りして実質的に細径化しているが、他の例として、図６に示すようにロッド２２の頭部最寄りを全周に亘って細径化してもよい。
【００３６】
続いて、上枠２内に収められる錠受け部分３０を、図２から図４を参照して説明する。
なお、図４は、図１〜図３の模式図に倣い具体化した錠受けブラケット３１の一例である。外側の形状等、一部、図１〜３の模式図と異なるが各孔３１ｂ、３１ｃの位置関係は図１〜図３の模式図に示す錠受けブラケット３１と共通である。
【００３７】
錠受け部分３０は、操作系部分２０のロッド２２に対応して上枠２の戸先側に設けられている。また、その構成は、ロッド２２の先端に係合して引戸１を所定の開閉範囲において開閉可能に施錠する錠受けブラケット３１と、この錠受けブラケット３１を上枠２の戸先側に固定するためのビス３２等で構成されている。
【００３８】
錠受けブラケット３１は、引戸１の開閉範囲を制限するための長孔３１ａを備えている。この長孔３１ａは、引戸１の閉じられた位置に対応して設けられると共にこの位置のみでロッド２２の頭部２２ａを受け入れるロッド挿通孔３１ｂと、このロッド挿通孔３１ｂから引戸１の開く方向に延設されると共にロッド２２の頭部２２ａを除く細径部分２２ｂのみをスライド自在に受け入れるスライド孔３１ｃと、が連なったひょうたん型の形状を有する。
【００３９】
また、これら長孔３１ａを構成しているロッド挿通孔３１ｂ並びにスライド孔３１ｃの機能について図２及び図３を参照して説明すると、まず、引戸１を閉じた状態で施解錠装置２１を操作し、この施解錠装置４を介した施錠操作によってロッド２２が持ち上げられると（図２中矢印Ｙ方向）、ロッド２２の頭部２２ａは、ロッド挿通孔３１ｂを通り錠受けブラケット３１の長孔３１ａ内に進入する。
【００４０】
続いて、この状態から引戸１を開くと、引戸１の移動に伴ってロッド２２の細径部分２２ｂがスライド孔３１ｃに進入し、このスライド孔３１ｃの始端から終端にかけてロッド２２がスライド自在に保持される（図２中矢印Ｘ）。
つまり、スライド孔３１ｃにロッド２２の端部が係合してスライド孔３１ｃ内をスライドすることで、引戸１はこのスライド孔３１ｃの長さ分だけ開閉可能に施錠される。
【００４１】
また、引戸１を閉じて施解錠装置２１を解錠操作すると、この解錠操作によってロッド２２が引き下げられ、ロッド２２はロッド挿通孔３１ｂを通り錠受けブラケット３１の長孔３１ａから完全に抜け出す。そして、以後、開閉量の制限なく引戸１の全開が可能になる。
【００４２】
このように第１の実施態様では、引戸１にドアガード機能を付加すると共に施解錠装置２１によってドアガード機能の有無を切り替え可能に構成している。
また、ロッド２２は、引戸１の外側に設けられた施解錠装置２１を介して直接操作できるため、ドアチェーンを引戸側の引っ掛ける等の煩わしい操作を伴うことなく、施解錠装置２１を操作するのみで簡単にドアガード機構１０を引戸１の外側から解錠できる。
また、施解錠操作を引戸１の閉じた位置のみで行えるようにすることで、各操作の共通化を図っている。また、施錠操作及び解錠操作に合わせてロッド２２の操作量を多段に設定することで、その操作性を更に良好なものとしている。
【００４３】
続いて、本発明に係るドアガード機構の第２の実施態様を説明する。
なお、第２の実施態様は、第１の実施態様のドアガード機構１０に施錠機能を追加した態様である。このため主要部分は第１の実施態様とほぼ同じ構造であり、以下では相違する部分を中心に説明する。また、同一部分には同一符号を付して説明する。
【００４４】
（第２の実施態様）
図７は、第２の実施態様の全体構造図である。
ドア本体は、第１の実施態様と同様に図中左方（戸先側）に開く引戸１であり、引戸側に操作系部分２０が組み込まれ、引戸１の上枠２内に錠受け部分３０が組み込まれている。
操作系部分２０の相違点としては、施解錠装置２１に組み込まれたリンク機構２４が一部異なる構造並びに機能を有する。
【００４５】
以下、このリンク機構２４について、図１１を参照して説明する。
リンク機構２４は、第１実施態様と同様、キーシリンダ２３やサムターンの回転軸２４ｅに連結されたカム２４ａと、カム２４ａを所定角で保持するためのバネ２４ｂ、カム２４ａの端部に係合したＬ字型のアーム２４ｃ、このアーム２４ｃを案内するためのガイドピン２４ｄ等で構成され、アーム２４ｃの先端１１ａにロッド２２の下端が連結されている。
【００４６】
そして、図１１（ａ）に示すように、キー操作によってカム２４ａを図中左回りいっぱいに回転させると（図中矢印Ｌ方向）、このカム２４ａの動きに追従してアーム２４ｃがガイドピン２４ｄによって案内され、リンク機構２４の上方にスライドする。また、このときカム２４ａを所定角で保持するバネ２４ｂの作用によってカム２４ａの角度が保持され、以後、アーム２４ｃはロッド２２を押し上げた状態を維持する。また、図１１（ｃ）に示すように、カム２４ａを右回りいっぱい（図中矢印Ｒ方向）に戻すとアーム２４ｃが下がり、ロッド２２も引き下げられる。
【００４７】
また、第２の実施態様では、上記した２つのポジションに加え、ロッド２２の頭部２２ａをその最大突出量に対して僅かに下がった位置で保持できるように、３つ目のポジションを加えている。
【００４８】
具体的には、ロッド２２の突出量が最大になる図中左回りにカム２４ａを回しきった位置（図１１（ａ）参照）に対して、僅かにカム２４ａを戻した角度において、このカム２４ａの端部に係合する凹部２４ｆをバネ２４ｂに形成しておき、この凹部２４ｆにカム２４ａの端部を係止させることで、３つ目のポジションを選択できるようにしている。
【００４９】
すなわち、カム２４ａが図中左回りに回りきった位置ではロッド２２の突出量が最大となり、続くカム２４ａが若干戻った位置では、最大突出量のロッド２２に対して僅かにロッド２２が下がった位置でロッド２２が保持される。また、カム２４ａが図中右回りに回りきった位置では、ロッド２２が最も引き下げられた状態になる。このようにロッド２２の操作量は、多段に設定されている。
【００５０】
なお、以下ではロッド２２の突出量が最大となる状態を施錠ポジションと称する。また、この状態からロッド２２の先端が僅かに下がった位置をドアガードポジションと称する。また、ロッド２２が下がりきった位置を解錠ポジションと称する。
【００５１】
続いて、錠受け部分３０について説明する。
錠受け部分３０の相違点としては、錠受けブラケット３１の構造並びに機能が一部異なっている。
【００５２】
錠受けブラケット３１は、第１実施態様で説明したロッド挿通孔３１ｂ、並びにスライド孔３１ｃの他、錠受けブラケット３１の長孔３１ａ内におけるロッド２２のスライドを阻止する施錠孔３１ｄを有する点で第１実施態様と異なっている。
【００５３】
施錠孔３１ｄは、図７〜図９に示すようにロッド挿通孔３１ｂの直上に設けられ、ロッド挿通孔３１ｂを通り更に上昇したロッド２２がこの施錠孔３１ｄに入り込むことで施錠孔３１ｂ内にロッド２２が拘束される。すなわち、施錠孔３１ｂは、ロッド挿通孔３１ｂと同様にして、引戸１の閉じた位置且つロッド挿通孔３１ｂの同軸上に配置されている。
【００５４】
なお、図１０は、図７〜図９の模式図に倣い具体化した錠受けブラケット３１の一例である。外側の形状等、一部、図７〜９の模式図と異なるが各孔３１ｂ、３１ｃ、３１ｄの位置関係は図７〜９の模式図に示す錠受けブラケット３１と共通である。
【００５５】
続いて、各孔３１ｂ，３１ｃ，３１ｄと施解錠操作との対応をロッド２２の動きを踏まえて説明する。
まず、図８及び図１１（ｂ）に示すように、引戸１を閉じて施解錠装置２１をドアガードポジションに操作するとロッド２２が一段階持ち上げられ（図８中矢印Ｙ１）、ロッド２２の頭部２２ａがロッド挿通孔３１ｂを通り、錠受けブラケット３１内に進入する。
また、この状態で引戸１を開くと、引戸１の移動に伴ってロッド２２の細径部分２２ｂがスライド孔３１ｃに進入し、このスライド孔３１ｃの始端から終端にかけてロッド２２がスライド可能になる（図８中矢印Ｘ参照）。
【００５６】
また、引戸１を閉じて施解錠装置２１を施錠ポジションに操作すると、図９及び図１１（ａ）に示すようにロッド２２は最大突出量に達して施錠孔３１ｄ内に入り込み（図９中矢印Ｙ２）、ロッド２２が拘束される。つまり、施錠孔３１ｂによるロッド２２の拘束よって引戸１は閉じた位置で施錠され、以後、開閉ができなくなる。
【００５７】
また、引戸１を閉じて施解錠装置２１を解錠ポジションに操作すると（図１１（ｃ）参照）、ロッド２２は施錠孔３１ｄ及びロッド挿通孔３１ｂから引き抜かれ、錠受けブラケット３１とロッド２２の係合状態が解除される。よって、引戸１を通常の開閉量で開閉できる。
このように第２の実施態様では、ドアガード機能に加えて施錠機能を付加する共に、施解錠装置２１によって各機能を段階的に切り替え可能に構成している。
【００５８】
なお、上記した第１実施態様、並びに第２実施態様に示すドアガード機構は、あくまでも一態様であって、その構造等は各種仕様に応じて変更可能である。
【００５９】
例えば、上記した第１実施態様において、ロッド挿通孔３１ｂに対して、ロッド２２の頭部２２ａを到達させた位置でロッド２２を保持し得るようにリンク機構２４の構造を変更すれば、ロッド挿通孔３１ｂを施錠孔３１ｄに見立てて施錠を行える。すなわち、ロッド挿通孔３１ｂにロッド２２の頭部２２ａが填り込むことでロッド２２のスライドを阻止して施錠する構造である。
【００６０】
また、ロッド２２の頭部２２ａのみを細径化し、ロッド２２の頭部２２ａをロッド挿入孔３１ｂに達した高さで保持し得るようにし、さらにこの状態からもう１段突出した位置でロッド２２を保持できるようにリンク機構２４を変更すれば、施解錠装置２１による一段目の高さでドアガード機能を付与でき、２段目の高さでロッド挿通孔３１との係合による施錠機能を持たせることができる。
すなわち、ロッド２２を一段持ち上げた状態では、ロッド頭部２２ａの細径部分２２ｂのみがロッド挿通孔３１ｂ並びにスライド孔３１ｃに達し、続く２段目ではロッド２２の太い部分がロッド挿通孔３１ｂに填り込んで施錠される。
【００６１】
また、上記したリンク機構２４では、上側のアーム２４ｃのみにロッド２２を設けてドアガード機構を構成しているが、引戸１の下枠側に同様の錠受け部分を設け、更にリンク機構２４の下側のアームにもロッド２２を連結してドアガード機構を構成してもよい。このように構成すれば、引戸１に対して上下一対でドアガード機構を設けることができる。
【００６２】
また、引戸１に主施解錠用の鍵装置が設けられているときには、この主施解錠用のキーシリンダに組み込まれるリンク機構と本実施態様に示した施解錠装置２１のリンク機構２４とを兼用した構造にしてもよい。このように各種仕様に応じて操作系部分２０並びに錠受け部分３０の構造を変更できる。
【符号の説明】
【００６３】
１  引戸
１ａ  引戸の上縁
２  引戸の上枠
３  自動閉鎖機構
１０  ドアガード機構
２０  操作系部分
２１  施解錠装置
２２  ロッド
２２ａ  ロッドの頭部
２２ｂ  ロッドの細径部分
２３  キーシリンダ
２４  リンク機構
２４ａ  カム
２４ｂ  バネ
２４ｃ  アーム
２４ｄ  ガイドピン
２４ｅ  回転軸
２４ｆ  凹部
３０  錠受け部分
３１  錠受けブラケット
３１ａ  長孔
３１ｂ  ロッド挿通孔
３１ｃ  スライド孔
３１ｄ  施錠孔
３２  ビス
１００  ドアチェーンリリース
１０１  ドアチェーン
１０１  ドアチェーンの支持部
１０２  電磁開放式アクチュエータ
２００  防犯錠
２０１  引戸
２０２  棒状部材
２０３  ガイド孔
【図１】
2013167052.tif 000003
【図２】
2013167052.tif 000004
【図３】
2013167052.tif 000005
【図４】
2013167052.tif 000006
【図５】
2013167052.tif 000007
【図６】
2013167052.tif 000008
【図７】
2013167052.tif 000009
【図８】
2013167052.tif 000010
【図９】
2013167052.tif 000011
【図１０】
2013167052.tif 000012
【図１１】
2013167052.tif 000013
【図１２】
2013167052.tif 000014
【図１３】
2013167052.tif 000015